(57)【要約】【課題】棒状の発光部材を用いて集魚効果を得ることができる釣り用錘で、釣り用錘全体の形状に自由度を持たせることができ、棒状の発光部材の脱落のおそれを小さくすることができる釣り用錘を提供する。【解決手段】釣り用錘５は、錘本体部１０と、突状部材２０と、発光部材５０とを有し、突状部材２０は、錘本体部１０の溝部１２内に収容される基部３０と、錘本体部１０の表面から突出する突出部２２とを有し、突出部２２には、釣糸と直接又は間接に接続するための取付穴２４と、発光部材５０を挿着するための挿着穴２６とを有している。【選択図】図２
2008017720.tif 000002
【特許請求の範囲】
【請求項１】
釣り用錘であって、
任意形状を呈する錘本体部と、
錘本体部に設けられ、錘本体部の表面から突出して設けられた突状部材で、棒状の発光部材を着脱自在に挿着するための挿着穴と、釣糸と直接又は間接に接続するための穴部とを有し、透光性のある部材により形成された突状部材と、
を有することを特徴とする釣り用錘。
【請求項２】
錘本体部が、突状部材を取り付けるための溝部を形成した形状を呈し、突状部材が、該溝部に収容される基部と、基部から上方に突出した突出部を有し、該挿着穴と穴部とが、該突出部に形成されていることを特徴とする請求項１に記載の釣り用錘。
【請求項３】
該突状部材が、板状を呈し、上記穴部を有する上部板状部と、該上部板状部の下端に設けられ、横方向に挿着穴を有する円筒状部と、該円筒状部の下端に設けられ、板状を呈し、その下側の一部が錘本体部の溝部に収容される基部を構成する下側板状部と、を有することを特徴とする請求項２に記載の釣り用錘。
【請求項４】
該錘本体部が、球面の少なくとも一部を有し、略球状を呈することを特徴とする請求項１又は２又は３に記載の釣り用錘。
【請求項５】
該挿着穴に挿脱される棒状の発光部材を有することを特徴とする請求項１又は２又は３又は４に記載の釣り用錘。
【発明の詳細な説明】
【技術分野】
【０００１】
本発明は、魚釣り用の釣り用錘（おもり）に関するものであり、特に、集魚効果を有する釣り用錘に関するものである。
【背景技術】
【０００２】
従来の釣り用錘において、発光機能を備えることにより集魚効果を有する釣り用錘は種々存在するが、そのような釣り用錘の中でも、棒状の発光部材で、内部に発光するための物質が封入され、折り曲げたり押圧することにより発光させることができる発光部材を取り付けることができるものとして、特許文献１に示すものが存在する。
【０００３】
この特許文献１に示すおもりは、棒状の発光部材を嵌め込むことができる凹状構造を有し、凹状構造の外縁部または内壁部に発光部材の脱離を防ぐための突起部が設けられたものである。
【特許文献１】特開２００４−１５９５５９号公報
【発明の開示】
【発明が解決しようとする課題】
【０００４】
しかし、特許文献１に記載のおもりの場合には、棒状の発光部材を嵌め込む凹状構造を有しているために、錘の形状が必然的に細長形状となってしまい、錘の形状に自由度を持たせることができないという問題があった。また、発光部材の脱離を防止するための爪状突起部が設けられているものの、発光部材が外部に露出しているので、発光部材が水中で岩などに接触した場合に、発光部材が錘から脱落するおそれがある。
【０００５】
そこで、本発明は、棒状の発光部材を用いて集魚効果を得ることができる釣り用錘で、釣り用錘全体の形状に自由度を持たせることができ、棒状の発光部材の脱落のおそれを小さくすることができる釣り用錘を提供することを目的とするものである。
【課題を解決するための手段】
【０００６】
本発明は上記問題点を解決するために創作されたものであって、第１には、釣り用錘であって、任意形状を呈する錘本体部と、錘本体部に設けられ、錘本体部の表面から突出して設けられた突状部材で、棒状の発光部材を着脱自在に挿着するための挿着穴と、釣糸と直接又は間接に接続するための穴部とを有し、透光性のある部材により形成された突状部材と、を有することを特徴とする。
【０００７】
この第１の構成の釣り用錘においては、突状部材に挿着穴が設けられているので、この挿着穴に発光部材を挿着する。そして、穴部に釣糸を接続して、釣り用錘を釣りに用いる。発光部材の発光能力が低下した場合には、発光部材を外して新たな発光部材を挿着する。この第１の構成の釣り用錘によれば、錘本体部の形状を所望の形状とすることにより、釣り用錘全体の形状を所望のものとでき、釣り用錘全体の形状に自由度を持たせることができる。また、発光部材は挿着穴に挿着されるので、発光部材が岩等に接触して脱落するおそれを小さくすることができる。また、釣り用錘においては、発光部材が発光するので、集魚効果を得ることができ、特に、突状部材が透光性を有する部材により形成されているので、発光部材全体からの光を外部に至らせることができ、十分な集魚効果を得ることができる。また、発光部材が挿脱可能であるので、発光能力が低下した場合でも、新たな発光部材と取り替えることにより、発光能力を維持することができる。
【０００８】
なお、上記第１の構成において、「棒状の発光部材を着脱自在に挿着するための挿着穴」を「棒状の発光部材を着脱自在に挿着するための挿着穴で、発光部材５０の両端部を除く領域を少なくとも被覆して挿着する挿着穴」としてもよい。
【０００９】
また、第２には、上記第１の構成において、錘本体部が、突状部材を取り付けるための溝部を形成した形状を呈し、突状部材が、該溝部に収容される基部と、基部から上方に突出した突出部を有し、該挿着穴と穴部とが、該突出部に形成されていることを特徴とする。
【００１０】
このように錘本体部が溝部を有し、突状部材が、溝部に収容される基部を有しているので、錘本体部と突状部材との固着を十分に行うことができる。
【００１１】
また、第３には、上記第２の構成において、該突状部材が、板状を呈し、上記穴部を有する上部板状部と、該上部板状部の下端に設けられ、横方向に挿着穴を有する円筒状部と、該円筒状部の下端に設けられ、板状を呈し、その下側の一部が錘本体部の溝部に収容される基部を構成する下側板状部と、を有することを特徴とする。
【００１２】
また、第４には、上記第１から第３までのいずれかの構成において、該錘本体部が、球面の少なくとも一部を有し、略球状を呈することを特徴とする。
【００１３】
また、第５には、上記第１から第４までのいずれかの構成において、該挿着穴に挿脱される棒状の発光部材を有することを特徴とする。
【発明の効果】
【００１４】
本発明に基づく釣り用錘によれば、錘本体部の形状を所望の形状とすることにより、釣り用錘全体の形状を所望のものとでき、釣り用錘全体の形状に自由度を持たせることができる。また、発光部材は挿着穴に被覆された状態で挿着されるので、発光部材が岩等に接触して脱落するおそれを小さくすることができる。また、釣り用錘においては、発光部材が発光するので、集魚効果を得ることができ、特に、突状部材が透光性を有する部材により形成されているので、発光部材全体からの光を外部に至らせることができ、十分な集魚効果を得ることができる。また、発光部材が挿脱可能であるので、発光能力が低下した場合でも、新たな発光部材と取り替えることにより、発光能力を維持することができる。
【発明を実施するための最良の形態】
【００１５】
本発明においては、棒状の発光部材を用いて集魚効果を得ることができる釣り用錘で、釣り用錘全体の形状に自由度を持たせることができ、棒状の発光部材の脱落のおそれを小さくすることができる釣り用錘を提供するという目的を以下のようにして実現した。
【００１６】
本発明に基づく釣り用錘５は、図１〜図４に示されるように構成され、錘本体部１０と、突状部材２０と、発光部材５０とを有している。
【００１７】
ここで、錘本体部１０は、全体に略球状を呈し、突状部材２０の基部３０を収容するための溝部１２が設けられている。すなわち、錘本体部１０は、溝部１２が設けられている以外は球状を呈していて、溝部１２は、錘本体部１０の上側に設けられていて、図４に示すように、基部３０を構成する脚状部３２ａの形状に対応した形状の凹状部１２ａと、脚状部３２ｂの形状に対応した形状の凹状部１２ｂと、脚状部３２ｃの形状に対応した形状の凹状部１２ｃとにより溝部１２が構成されている。
【００１８】
また、錘本体部１０の下面、すなわち、溝部１２が形成されている側とは反対側には、挿通穴１４が設けられ、この挿通穴１４は、錘本体部１０の底面から溝部１２の凹状部１２ａにまで至っている。つまり、挿通穴１４は、鉛直方向（Ｚ１−Ｚ２方向）に設けられ、ねじ４０が挿通可能な大きさに形成されている。この錘本体部１０は、鉛等の釣り用の錘に通常用いられる素材により形成されている。
【００１９】
また、突状部材（板状部材としてもよい）２０は、全体に略板状を呈し、上方の先端が尖った略三角形状の略板状を呈している。この突状部材２０は、透光性のある（透明でもよい）部材（例えば、樹脂（具体的には、ポリカーボネイト））により形成されている。
【００２０】
すなわち、突状部材２０は、上部板状部２１ａと、円筒状部２１ｂと、下部板状部２１ｃとを有し、上部板状部２１ａは、略三角形状の板状を呈している。この上部板状部２１ａの上側の先端付近には、取付穴２４が設けられている。この取付穴２４は、突状部材２０の正面側（Ｙ１側）から背面側（Ｙ２側）にまで貫通する穴部である。
【００２１】
また、円筒状部２１ｂは、上部板状部２１ａの下端から連設され、円筒状を呈し、横方向（Ｘ１−Ｘ２方向）に形成されている。この円筒状部２１ｂには、横方向（Ｘ１−Ｘ２方向）に貫通する円柱状の穴部である挿着穴２６が設けられている。つまり、挿着穴２６は、板状を呈する上部板状部２１ａや下部板状部２１ｃの一対の面部（つまり、Ｙ１側の面部とＹ２側の面部）と平行に設けられ、水平方向、つまり、突状部材２０の縦方向の中心線に対して直角の方向に設けられている。この挿着穴２６の径は、棒状の発光部材５０を挿通及び支持可能な大きさに形成されている。このように、板状の突出部２２の内部に挿着できるので、発光部材５０が外部に露出して邪魔となることがない。また、挿着穴２６の両端位置には、凹状の切欠部２７が設けられ、上部板状部２１ａや下部板状部２１ｃの側面よりも凹状に形成されていて、挿着穴２６内に設けられた発光部材５０の端部を手でつまみやすくして、発光部材５０を取り出しやすくしている。つまり、発光部材５０を、発光部材５０の端部が突状部材２０の左右の側面から突出しないような長さとした場合でも、発光部材５０を取り出しやすくしている。
【００２２】
また、下部板状部２１ｃは、円筒状部２１ｂの下端から連設され、板状を呈するとともに、その下側に、脚状部３２ａと、脚状部３２ｂと、脚状部３２ｃとを有している。脚状部３２ａ〜３２ｃは、錘本体部１０の溝部１２の形状に合わせて形成されており、脚状部３２ａは、下方に突出した略三角形状の板状を呈し、凹状部１２ａの形状に合わせて形成され、脚状部３２ｂと脚状部３２ｃの間に設けられている。また、脚状部３２ａの底面には、図３に示すように、ねじ穴３４が設けられている。このねじ穴３４は、ねじ４０が螺着するためのものである。なお、ねじ４０の頭部の径は、ねじ穴３４の径よりも大きく形成されている。
【００２３】
また、脚状部３２ｂと脚状部３２ｃは、脚状部３２ａの両側に互いに略対称に設けられ、ともに略三角形状に形成され、脚状部３２ｂは、凹状部１２ｂの形状に合わせて形成され、また、脚状部３２ｃは、凹状部１２ｃの形状に合わせて形成されている。
【００２４】
なお、下部板状部２１ｃの厚み（つまり、奥行き方向（Ｙ１−Ｙ２方向）の幅）は、上部板状部２１ａの厚みよりも厚く形成されていて、また、円筒状部２１ｂの奥行き方向の幅は、下部板状部２１ｃよりも大きく形成され、下部板状部２１ｃに対して前後の突出した状態となっている。また、突状部材２０は、全体に一体に形成されている。
【００２５】
なお、下部板状部２１ｃにおける脚状部３２ａ〜３２ｃが、突状部材２０を錘本体部１０に取り付けた際に錘本体部１０の表面から内側に設けられる部分であり、突状部材２０における基部３０を構成する。また、突状部材２０における基部３０よりも上側の部分が、突状部材２０を錘本体部１０に取り付けた際に錘本体部１０から突出する部分であり、突状部材２０における基部３０よりも上側の部分が、突出部２２を構成する。つまり、突状部材２０は、突出部２２と、基部３０とから構成されていると捉えることもできる。
【００２６】
このように、溝部１２が、凹状部１２ａと凹状部１２ｂと凹状部１２ｃとにより構成され、また、基部３０が、脚状部３２ａと脚状部３２ｂと脚状部３２ｃとにより構成されることにより、錘本体部１０と突状部材２０との固着を十分行うことができる。
【００２７】
また、発光部材５０は、棒状を呈し、内部に発光するための物質が封入され、折り曲げたり押圧することにより発光させることができるものである。例えば、第１の溶液をガラス性のアンプルの中に封入し、第１の溶液と化学反応する第２の溶液をチューブ（例えば、ポリエチレンチューブ）に入れて、その中に該アンプルを入れて封入したものとし、チューブを折り曲げたり押圧することにより、中のアンプルを壊すと２つの溶液が反応して発光するものである。このような棒状の発光部材としては、ＣＹＡＬＵＭＥ（サイリューム）（登録商標）やケミホタル（登録商標）等の商品が挙げられる。
【００２８】
この発光部材５０は、突状部材２０の挿着穴２６に挿通して該挿着穴２６内に支持することができる。すなわち、挿着穴２６の径と発光部材５０の径とは、発光部材５０が挿着穴２６に挿脱可能で、かつ、挿着穴２６に発光部材５０を支持させた場合には、発光部材５０が容易に脱落しないように形成されている。
【００２９】
次に、上記構成の釣り用錘５の組立て方法及び使用状態について説明する。突状部材２０の基部３０を錘本体部１０の溝部１２内に入れた状態で、ねじ４０を錘本体部１０の底部から挿通穴１４に挿通し、脚状部３２ａのねじ穴３４にねじ４０を螺着する。すると、錘本体部１０と突状部材２０とを一体に形成することができる。このように、錘本体部１０と突状部材２０とが一体になった状態のものを保管しておき、釣り場等に持って行く。このように、錘本体部１０と突状部材２０とが一体になった状態のものが、保管状態の釣り用錘であるといえる。
【００３０】
次に、実際の釣り場においては、まず、錘本体部１０と突状部材２０とが一体になった状態のものに対して釣糸を取り付ける。例えば、釣糸１００の端部に設けられたスイベル２００を突状部材５０の取付穴２４に取り付けることにより、釣糸と釣り用錘５とを接続する。なお、図５に示す構成は、釣り用錘５を釣糸１００に対してスイベル２００を介して間接的に接続した例であるが、釣糸１００を釣り用錘５の取付穴２４に通して縛ることにより直接接続してもよい。
【００３１】
その後、棒状の発光部材５０を挿着する。すなわち、棒状の発光部材５０を折り曲げたり押圧することにより発光する状態として、その後、発光部材５０を挿着穴２６の左右いずれかの端部から挿入して発光部材５０を挿着穴２６に支持させる。発光部材５０を挿着穴２６内に支持させた状態では、挿着穴２６は、発光部材５０の両端部を除く領域を少なくとも被覆しており、これにより、発光部材５０は突状部材２０から容易には脱落しない構成となっている。
【００３２】
以上のように、発光部材５０を発光させた状態で、釣り用錘５を釣りに使用する。釣り用錘５においては、発光部材５０が発光するので、集魚効果を得ることができる。特に、突状部材５０が透光性を有する部材により形成されているので、発光部材５０の突状部材２０によりカバーされた部分からの光も突状部材２０を通して発光させることができるので、発光部材５０全体からの光を外部に至らせることができ、十分な集魚効果を得ることができる。
【００３３】
また、釣り用錘５は、錘本体部１０と、突状部材２０と、発光部材５０とを有する構成となっているので、錘本体部１０の形状を所望の形状とすることにより、釣り用錘全体の形状を所望のものとでき、釣り用錘全体の形状に自由度を持たせることができる。つまり、上記の説明において、錘本体部１０は略球状であるとして説明したが、これには限られず、他の任意の形状でよく、例えば、底面を平面とした半球状、直方体形状、円錐形状、円錐台形状であってもよく、錘本体部１０を所望の形状とすることにより、釣り用錘全体の形状を所望のものとでき、釣り用錘全体の形状に自由度を持たせることができる。上記の場合は、錘本体部１０が略球状を呈しているので、結果として、略球状の錘に棒状の発光部材を適用することができる。
【００３４】
なお、釣り用錘５に使用された発光部材５０の発光能力が低下した場合には、発光部材５０を突状部材２０から取り出し、他の発光部材５０と取り替えればよい。このように新たな発光部材５０と取り替えることにより、発光能力を維持することができる。
【００３５】
なお、上記の説明において、突状部材２０は、全体に略三角形状の略板状であるとして説明したが、これには限られず、取付穴２４と挿着穴２６が設けられた略板状部材であればよい。さらには、突状部材２０は板状でなくても、錘本体部１０の表面から突出し、釣糸と接続するための取付穴２４と、棒状の発光部材５０を挿着するための挿着穴２６とを有する構成であればよい。
【００３６】
また、錘本体部１０に設けられる溝部１２の形状や、突状部材２０の基部３０の形状は、上記には限られず、他の形状であってもよい。
【図面の簡単な説明】
【００３７】
【図１】本発明の実施例に基づく釣り用錘を示す斜視図である。
【図２】本発明の実施例に基づく釣り用錘を示す上方分解斜視図である。
【図３】本発明の実施例に基づく釣り用錘を示す下方分解斜視図である。
【図４】図１におけるＡ−Ａ断面図である。
【図５】本発明の実施例に基づく釣り用錘の使用状態を示す斜視図である。
【符号の説明】
【００３８】
５  釣り用錘
１０  錘本体部
１２  溝部
２０  突状部材
２１ａ  上部板状部
２１ｂ  円筒状部
２１ｃ  下部板状部
２２  突出部
２４  取付穴
２６  挿着穴
３０  基部
４０  ねじ
５０  発光部材
【図１】
2008017720.tif 000003
【図２】
2008017720.tif 000004
【図３】
2008017720.tif 000005
【図４】
2008017720.tif 000006
【図５】
2008017720.tif 000007